(57)【要約】【課題】それぞれ流体を流通させる二つの流路が直交している熱交換器であって、熱交換率が高められていると共に、機械的強度が高められているセラミック熱交換器を提供する。【解決手段】第一方向Ｘに貫通し、第一方向に直交する第二方向Ｙに閉塞されている第一流路Ｐ１と、第二方向に貫通し第一方向に閉塞されている第二流路Ｐ２とが、第一方向及び第二方向に直交する第三方向Ｚに、壁体である隔壁１１ｂを介して隣接しているセラミック製の熱交換体４０を備え、熱交換体において、第三方向に交差する二つの端面に、閉じた空間内に空気が保持されている断熱層５０が積層されている構成の熱交換器１とする。【選択図】図１
2019109004.tif 000002
【特許請求の範囲】
【請求項１】
第一方向に貫通し、該第一方向に直交する第二方向に閉塞されている第一流路と、前記第二方向に貫通し、前記第一方向に閉塞されている第二流路とが、前記第一方向及び前記第二方向に直交する第三方向に壁体を介して隣接しているセラミック製の熱交換体を備え、
該熱交換体において、前記第三方向に交差する二つの端面に、閉じた空間内に空気が保持されている断熱層が積層されている
ことを特徴とするセラミック熱交換器。
【請求項２】
断熱層は、単一の軸方向に延びた隔壁により区画された複数のセルが、それぞれ軸方向の両端部で封止材により封止されていることにより形成されている
ことを特徴とする請求項１に記載のセラミック熱交換器。
【請求項３】
断熱層は、隣接する平板間に、長手方向を一致させた長棒状のスペーサの複数が間隔をあけて配されることにより形成されたスリットが、長手方向の両端部で封止材により封止されていることにより形成されている
ことを特徴とする請求項１に記載のセラミック熱交換器。
【請求項４】
前記第一流路及び前記第二流路のうち、前記断熱層に隣接しているのは前記第一流路であり、
前記熱交換体において、前記第一方向と交差する両端面の一方に第一流体を供給する第一流体供給管が接続されており、他方に前記第一流体を排出させる第一流体排出管が接続されていると共に、前記第二方向と交差する両端面の一方に、前記第一流体より高温の第二流体を供給する第二流体供給管が接続されており、他方に前記第二流体を排出させる第二流体排出管が接続されている
ことを特徴とする請求項１乃至請求項３の何れか一つに記載のセラミック熱交換器。
【発明の詳細な説明】
【技術分野】
【０００１】
本発明は、セラミック製の熱交換器に関するものである。
【背景技術】
【０００２】
工業炉から排出される排ガスなど高温の流体から、低温の流体へ熱を与える熱交換器として、従前より、直交する二つの流路をセラミック壁が隔てている構造体が提案されている（例えば、特許文献１，２参照）。特許文献１の構造体は、セラミック製の平板から一方向に多数のリブが突出した板体の複数を、リブの方向が交差するように積層した構造である。かかる構成では、ある平板に着目すると、その平板の一方の面側でリブとリブとの間に形成される第一の流路と、他方の面側でリブとリブとの間に形成される第二の流路とが直交しており、第一の流路を流通する第一の流体と第二の流路を流通する第二の流体との間で、平板を介して熱交換が行われる。
【０００３】
特許文献２の構造体は、一方向に貫通した多数のセルを有するセラミック製のハニカム構造体において、一段おきにセルそれぞれの両端を封止して封止部を形成すると共に、封止された段のセルの隔壁を、封止部及びその近傍を除いて直角方向から穿孔することにより、セルに直交する方向に貫通するスリットを形成したものである。かかる構成では、両端に封止部を有さず貫通しているセルを流通する第一の流体と、セルに直交するスリットを流通する第二の流体との間で、隔壁を介して熱交換が行われる。
【０００４】
熱交換器については、より熱交換率が高いものに対する要請が常に存在する。また、上記のようにセラミックス壁を介して熱交換する熱交換器では、熱交換率を高めるためには壁の厚さを薄くすることが望ましいが、そうすると機械的強度が低下するおそれがある。機械的強度が低下すると、熱交換される二つの流体の混合や外部への流体のリークを防止するために、シーリング材を介して締め付けるように熱交換器をケーシングに収容する際、熱交換器が破損するおそれがある。
【先行技術文献】
【特許文献】
【０００５】
【特許文献１】特開昭５５−３５８９７号公報
【特許文献２】特開昭６１−２４９９７号公報
【発明の概要】
【発明が解決しようとする課題】
【０００６】
そこで、本発明は、上記の実情に鑑み、直交する二つの流路をセラミック壁が隔てている熱交換器であって、熱交換率を高めることができると共に、機械的強度を高めることができるセラミック熱交換器の提供を、課題とするものである。
【課題を解決するための手段】
【０００７】
上記の課題を解決するため、本発明にかかるセラミック熱交換器（以下、単に「熱交換器」と称することがある）は、
「第一方向に貫通し、該第一方向に直交する第二方向に閉塞されている第一流路と、前記第二方向に貫通し、前記第一方向に閉塞されている第二流路とが、前記第一方向及び前記第二方向に直交する第三方向に壁体を介して隣接しているセラミック製の熱交換体を備え、
該熱交換体において、前記第三方向に交差する二つの端面に、閉じた空間内に空気が保持されている断熱層が積層されている」ものである。
【０００８】
本構成により、第一流路に第一流体を流通させ、第二流路に第二流体を流通させることにより、第一流体と第二流体との間で壁体を介して熱交換させることができる。
【０００９】
ここで、第一方向に交差する両端面は第一流路を開口させておく面であり、第二方向に交差する両端面は第二流路を開口させておく面であるのに対し、第三方向に交差する両端面は、熱交換のためには使用されない面である。本構成では、このような端面に、空気が保持された断熱層を積層している。従って、熱を与える側の高温の流体が保持している熱や、低温側の流体に与えられた熱が、熱交換器の外部に放出されることが断熱層によって抑制されるため、熱交換率を高めることができる。
【００１０】
更に、第一方向に貫通している第一流路と、第二方向に貫通している第二流路とが隣接している熱交換体は、二方向に開放している構造体であって機械的強度が低いものとなりやすいところ、本構成の熱交換器は閉じた空間である断熱層を備えている。従って、断熱層の存在によって、熱交換器の機械的強度を高めることができる。
【００１１】
本発明にかかるセラミック熱交換器は、上記構成において、
「断熱層は、単一の軸方向に延びた隔壁により区画された複数のセルが、それぞれ軸方向の両端部で封止材により封止されていることにより形成されている」ものとすることができる。或いは、「断熱層は、隣接する平板間に、長手方向を一致させた長棒状のスペーサの複数が間隔をあけて配されることにより形成されたスリットが、長手方向の両端部で封止材により封止されていることにより形成されている」ものとすることができる。
【００１２】
このような構成とすることにより、空気を保持する大きな空間を有する断熱層を、簡易に製造することができる。
【００１３】
本発明にかかるセラミック熱交換器は、上記構成に加え、
「前記第一流路及び前記第二流路のうち、前記断熱層に隣接しているのは前記第一流路であり、
前記熱交換体において、前記第一方向と交差する両端面の一方に第一流体を供給する第一流体供給管が接続されており、他方に前記第一流体を排出させる第一流体排出管が接続されていると共に、前記第二方向と交差する両端面の一方に、前記第一流体より高温の第二流体を供給する第二流体供給管が接続されており、他方に前記第二流体を排出させる第二流体排出管が接続されている」ものとすることができる。
【００１４】
本構成では、熱交換体において断熱層と隣接しているのは、高温の第二流体から熱を与えられる側である第一流体を流通させる第一流路である。従って、与えられた熱がこれから使用される第一流体の熱を、断熱層によって有効に保持することができる。
【発明の効果】
【００１５】
以上のように、本発明によれば、それぞれ流体を流通させる二つの流路が直交している熱交換器であって、熱交換率が高められていると共に、機械的強度が高められているセラミック熱交換器を、提供することができる。
【図面の簡単な説明】
【００１６】
【図１】本発明の第一実施形態である熱交換器の斜視図である。
【図２】図１の熱交換器の分解斜視図である。
【図３】（ａ）図１の熱交換器の正面図、及び、（ｂ）図１の熱交換器の側面図である。
【図４】（ａ）Ａ−Ａ線断面図、（ｂ）Ｂ−Ｂ線断面図、及び、（ｃ）Ｃ−Ｃ線断面図である。
【図５】（ａ）第一実施形態の変形例の熱交換器の斜視図、及び、（ｂ）断熱層の効果を検討した際の温度測定位置を示す図である。
【図６】本発明の第二実施形態である熱交換器の斜視図である。
【図７】図６の熱交換器の分解斜視図である。
【図８】（ａ）図６の熱交換器の正面図、及び、（ｂ）図６の熱交換器の側面図である。
【図９】（ａ）Ｄ−Ｄ線断面図、（ｂ）Ｅ−Ｅ線断面図、（ｃ）Ｆ−Ｆ線断面図、及び、（ｄ）Ｇ−Ｇ線断面図である。
【発明を実施するための形態】
【００１７】
以下、本発明の具体的な実施形態であるセラミック熱交換器について説明する。まず、第一実施形態の熱交換器１、及びその変形例の熱交換器１ｂについて、図１乃至図５を用いて説明する。
【００１８】
第一実施形態の熱交換器１は、熱交換体４０と断熱層５０とを主な構成とする。熱交換体４０はセラミック製であり、第一方向Ｘに貫通し第一方向Ｘに直交する第二方向Ｙに閉塞されている第一流路Ｐ１と、第二方向Ｙに貫通し第一方向Ｘに閉塞されている第二流路Ｐ２とが、第一方向Ｘ及び第二方向Ｙに直交する第三方向Ｚに壁体を介して隣接している構成である。また、断熱層５０は、内部に空気が保持されている閉じた空間を有する層であり、熱交換体４０において第三方向Ｚに交差する両端面にそれぞれ積層されている。
【００１９】
具体的には、熱交換体４０は、単一の軸方向に延びた隔壁１１ａ，１１ｂにより区画された複数のセル１５が一列に配列されたセル列１０を、軸方向を同一として複数備えており、隣接するセル列１０の間に、セル１５の軸方向と直交する方向に貫通したスリット２５を有している。
【００２０】
ここでは、セル１５の形状（軸方向に直交する断面の外形）が正方形で、各セル１５が二対の隔壁１１ａ，１１ｂで囲まれている場合を図示している。複数のセル１５が隔壁１１ａを介して一列に並んでいる一段のセル列１０は、隣接するセル列１０と、それぞれの軸方向を一致させた状態で、セル列１０とセル列１０との間に配されたスペーサ２１によって接合されている。スペーサ２１は細長い四角柱状で、その長手方向はセル１５の軸方向に直交している。また、ここでは、隣接するセル列１０それぞれの両端部が、一対のスペーサ２１で接合されている場合を図示により例示しているが、隣接するセル列１０を接合するスペーサ２１の数は、三以上であっても良い。
【００２１】
このような構成の熱交換体４０において、セル１５の軸方向を第一方向Ｘとし、セル列１０においてセル１５が並んでいる方向を第二方向Ｙとすると、各セル１５が、第一方向Ｘに貫通し隔壁１１ａによって第二方向Ｙに閉塞されている第一流路Ｐ１である。一方、隣接しているスペーサ２１間と、隣接しているセル列１０それぞれの隔壁１１ｂとの間に形成されているスリット２５が、第二方向Ｙに貫通しスペーサ２１によって第一方向Ｘに閉塞されている第二流路Ｐ２である。そして、第一流路Ｐ１であるセル１５と第二流路Ｐ２であるスリット２５が、第三方向Ｚに隔壁１１ｂを介して隣接している。従って、本実施形態では、隔壁１１ｂが、第三方向Ｚに隣接する第一流路Ｐ１と第二流路Ｐ２との間に介在する「壁体」に相当する。
【００２２】
なお、一段のセル列１０は、一般的な押出成形によって成形された、単一の軸方向を有するセル列１０が複数段、積層されているハニカム構造体を、一段ごと切断して得ることができる。或いは、単一の軸方向を有する複数のセル１５が一列に並んでいる一段のハニカム構造体を、押出成形により成形しても良い。また、スリット２５は、単一の軸方向を有するセル列が複数段、積層されている一般的なハニカム構造体において、一段おきにセルの両端部を封止して封止部を形成し、両端部が封止されたセルからなるセル列について、封止部及びその近傍を除いて、セルの軸方向に直交する方向に隔壁を切除することによっても、形成することができる。
【００２３】
一方、断熱層５０は、単一の軸方向に延びた隔壁により区画されており、それぞれ軸方向の両端部が封止材１７により封止されている複数のセル１５からなる。セル１５の隔壁１１ａ，１１ｂと両端部の封止材１７との間に閉じた空間が形成されており、その内部に空気が保持されていることにより、断熱層５０は空気の層Ｓを複数備えている。なお、断熱層５０を構成するセル１５の軸方向は第一方向Ｘであっても第二方向Ｙであっても良いが、ここでは第一方向Ｘを軸方向とし両端部を封止されているセル１５が第二方向Ｙに並んでいるセル列１０が、複数段積層されて断熱層５０を形成している場合を例示している。
【００２４】
なお、熱交換体４０を構成するセル列１０においても、第二方向Ｙに交差する両端部近傍のセル１５のいくつかが、全長にわたり封止材１７によって封止されている。これにより、極めて厚さの薄い隔壁のみによって支えられる構造体であるセル列１０の機械的強度が、高められている。
【００２５】
また、熱交換器１は、第一流体供給管、第一流体排出管、第二流体供給管、及び第二流体排出管を備えている（何れも図示を省略）。熱交換体４０において第一方向Ｘと交差する両端面、すなわちセル１５が開口している両端面の一方に第一流体供給管が接続されると共に、他方に第一流体排出管が接続される。一方、第二方向Ｙと交差する端面、すなわちスリット２５が開口している両端面の一方に第二流体供給管が接続されると共に、他方に第二流体排出管が接続される。本実施形態の熱交換器１では、熱交換体４０において断熱層５０と隣接しているのは第一流路Ｐ１であるセル１５であり、第一流体供給管には、熱を与えられる側の流体、つまり低温側の流体が供給される。従って、第二流体供給管には、熱を与える側の流体、つまり第一流体より高温の流体が供給される。
【００２６】
上記の構成により、第一流路Ｐ１であるセル１５に第一流体を流通させ、第二流路Ｐ２であるスリット２５に第二流体を流通させることにより、第一流体と第二流体との間で隔壁１１ｂを介して熱交換させることができる。
【００２７】
また、熱交換体４０において、第一方向Ｘに交差する両端面は第一流体を通過させるために第一流路Ｐ１（ここでは、セル１５）を開口させておく面であり、第二方向Ｙに交差する両端面は第二流体を通過させるために第二流路Ｐ２（ここでは、スリット２５）を開口させておく面であるのに対し、第三方向Ｚに交差する両端面は流体を通過させるために開口させておく必要がない面である。本実施形態では、第三方向Ｚに交差する両端面という、いわば熱交換のためには従来使用されなかった端面に、断熱層５０を積層している。断熱層５０は、空気の層Ｓを複数有しており、断熱性が高い。従って、高温の第二流体が保持している熱や、低温の第一流体が第二流体から与えられた熱が、熱交換器１の外部に放出されることが断熱層５０によって抑制されるため、熱交換率を高めることができる。
【００２８】
更に、第一流路Ｐ１であるセル１５の段は第一方向Ｘに貫通した空間を有しており、第二流路Ｐ２であるスリット２５の段は第二方向Ｙに貫通した空間を有しているのに対し、断熱層５０は封止材１７やセル１５の隔壁１１ａ，１１ｂで全方向を閉塞された閉じた空間であるため、機械的強度が高い。従って、断熱層５０の存在によって熱交換器１の機械的強度を高めることができ、熱交換器１をシールしつつケーシングに収容する際の締め付け力等の外力に対して、耐性の高い熱交換器１となる。
【００２９】
加えて、本実施形態では、熱交換体４０において断熱層５０と隣接しているのはセル１５、すなわち、熱を与えられる側の第一流体を流通させる第一流路Ｐ１である。従って、与えられた熱がこれから使用される第一流体の熱を、断熱層５０によって有効に保持することができる。
【００３０】
更に、本実施形態では、第一流路Ｐ１が細密なセル１５であるのに対し、第二流路Ｐ２はセル１５より内部空間の広いスリット２５である。従って、高温の第二流体として、排ガスや排水など不純物を含むことがある流体を使用しても、第二流路Ｐ２が詰まるおそれが低減されている。一方、低温の第一流体としては、空気や水など不純物を含まない流体を使用すれば、表面積が大きいというセル１５の利点を活かして、効率的に熱を回収することができる。
【００３１】
実際に、断熱層を備える熱交換器を製造し、断熱作用や熱交換率を測定した結果を示す。測定には、セル数、セル列やスペーサの段数を除き、図１〜図４に示した熱交換器１と同じ構成の熱交換器Ｅ１を使用した。熱交換器Ｅ１の熱交換体は炭化珪素製であり、セル列の２０個と１９対のスペーサとが、セル列とセル列との間にスペーサを一対挟むように計３８段積層された構成であり、各セル列は９８個のセルからなる。熱交換体のサイズは、セル及びスリットが延びる方向の長さをそれぞれ１７０ｍｍとし、セル列とスペーサとの積層方向の長さを１３８．７ｍｍとした。そして、熱交換体においてセルもスリットも開口しない一対の端面に、それぞれ断熱層を積層した。それぞれの断熱層は、熱交換体を構成しているセル列と同一のセル列を８段積層して積層方向の長さを２０ｍｍとし、全てのセルの軸方向の両端部を、それぞれ長さ２０ｍｍずつ封止材で封止して形成した。なお、封止材としては、シリカ、アルミナ等のセラミックを主成分とする無機接着剤（朝日化学工業株式会社製、スミセラム）を使用した。この無機接着剤は、１００℃〜３００℃で硬化して、硬化後は１０００℃以上の耐熱性を示す。
【００３２】
断熱層による効果を検討するために、熱交換器Ｅ１より断熱層が小さい熱交換器Ｅ２を製造した。熱交換器Ｅ２の構成は、セル１５の数、セル列１０やスペーサ２１の段数を除き、図５（ａ）に示した熱交換器１ｂと同一である。熱交換器Ｅ２と熱交換器Ｅ１とで熱交換体は共通であり、熱交換器Ｅ１ではセル列を８段積層して積層方向の長さを２０ｍｍとし、軸方向の両端部を封止して断熱層としたのに対し、熱交換器Ｅ２ではセル列を５段積層して積層方向の長さを１３ｍｍとし、軸方向の両端部を封止して断熱層とした上で、炭化珪素製で厚さ７ｍｍの平板（図５における符号６０に相当）を接着して、合計の長さを熱交換器Ｅ１の断熱層と同一の２０ｍｍとした。
【００３３】
熱交換器Ｅ１，Ｅ２のそれぞれに、第一流体として常温の空気を流通させ、第二流体として高温の排気ガスを流通させて熱交換させ、熱交換器を収容しているケーシングの外表面温度を、接触式温度計で測定した。第二流体としては、流入温度が４００℃の排ガスＡと、流入温度が８００℃の排ガスＢを使用した。流体の流量は、第一流体、第二流体（排ガスＡ，排ガスＢ）の何れについても、１４０ｍ３Ｎ／ｈとした。ケーシングの外表面において温度を測定した部分は、熱交換器において断熱層が形成されている両端面を被覆しているケーシングの両側面であり、それぞれの側面を第一流体の流通方向に３分割、第二流体の流通方向に２分割し、計１２箇所の温度を測定した。各測定位置におけるケーシングの外表面温度を、表１に示す。表１で測定位置を示している番号とケーシングの側面における位置との関係を、図５（ｂ）に示す。
【００３４】
【表１】
2019109004.tif 000003
【００３５】
表１から、第二流体の流入温度が４００℃の場合、８００℃の場合の何れも、ほぼ全ての測定位置において、熱交換器Ｅ１の方が熱交換器Ｅ２に比べてケーシングの外表面の温度が低いことが分かる。これにより、断熱層が大きいほど（積層方向の長さが大きいほど）、断熱効果が大きくなっていることが分かる。熱交換器Ｅ１と熱交換器Ｅ２それぞれのケーシングの外表面の温度差は、第二流体の流入温度が４００℃の場合は最大で５３℃であり、第二流体の流入温度が８００℃の場合は最大で１０１℃であり、大きなものであった。
【００３６】
また、流入温度４００℃の排ガスＡである第二流体が第一流体と熱交換した場合、流入温度８００℃の排ガスＢである第二流体が第一流体と熱交換した場合のそれぞれについて、第一流体及び第二流体の流出温度を測定し、これに基づいて熱交換の温度効率を求めた。温度効率は、次の式により算出した。結果を、表２に示す。
第一流体の温度効率
（Ｔａｉｒ−ｏｕｔ−Ｔａｉｒ−ｉｎ）／（Ｔｅｘ−ｉｎ−Ｔａｉｒ−ｉｎ）
第二流体の温度効率
（Ｔｅｘ−ｉｎ−Ｔｅｘ−ｏｕｔ）／（Ｔｅｘ−ｉｎ−Ｔａｉｒ−ｉｎ）
上式において、
Ｔａｉｒ−ｉｎ：第一流体の流入温度
Ｔａｉｒ−ｏｕｔ：第一流体の流出温度
Ｔｅｘ−ｉｎ：第二流体の流入温度
Ｔｅｘ−ｏｕｔ：第二流体の流出温度
【００３７】
【表２】
2019109004.tif 000004
【００３８】
表２から、第一流体の温度効率も第二流体の温度効率も、熱交換器Ｅ１の方が熱交換器Ｅ２より高く、断熱層が大きいほど（積層方向の長さが大きいほど）、熱交換の温度効率が高くなることが明らかである。また、熱交換器Ｅ１及び熱交換器Ｅ２の何れでも、第一流体の温度効率及び第二流体の温度効率は、第二流体の温度が４００℃であるか８００℃であるかによらず同程度であった。従って、第一流体が常温であり第二流体の温度が４００℃〜８００℃の範囲であり、断熱層の積層方向の長さが１３ｍｍ〜２０ｍｍのとき、断熱層の大きさが同程度であれば第二流体の温度によらず同程度の温度効率で熱交換されると考えられた。なお、断熱層は積層方向の長さが大きいほど断熱効果が高くなると考えられ、２０ｍｍ以上とすることが望ましいが、熱交換器の体積が一定の場合に断熱層の占める体積が増加すると、熱交換に使用される体積が減少する。そのため、断熱効果と熱交換率の双方を考え合わせ、上記の温度範囲では断熱層の積層方向の長さの上限は３０ｍｍとすることが望ましい。一方、断熱層の積層方向の長さの下限は、セルの一段分として２ｍｍとすることができる。
【００３９】
次に、第二実施形態の熱交換器２について、図６乃至図９を用いて説明する。熱交換器２が熱交換器１と相違する点は、熱交換体４０ｂが平板３１と細長い四角柱状のスペーサ３２とを積み重ねることによって形成されており、隣接する平板３１と隣接するスペーサ３２との間に形成されたスリット３５，３６によって、それぞれ第一流路Ｐ１及び第二流路Ｐ２が構成されている点である。また、断熱層５０ｂが、スリットの長手方向の両端部が封止材３７で封止されることによって形成されている点でも、熱交換器１と相違している。
【００４０】
具体的には、隣接する平板３１と平板３１とは、長手方向を同一とし一定の間隔をあけて並んだ複数のスペーサ３２によって接合されており、長手方向が第一方向Ｘであるスペーサ３２の段と長手方向が第二方向Ｙであるスペーサ３２の段とが、交互となるように接合されている。これにより、隣接する平板３１間と長手方向が第一方向Ｘであるスペーサ３２間に形成されたスリット３５が、第一方向Ｘに貫通しスペーサ３２によって第二方向Ｙに閉塞されている第一流路Ｐ１である。一方、隣接する平板３１間と長手方向が第二方向Ｙであるスペーサ３２間に形成されたスリット３６が、第二方向Ｙに貫通しスペーサ３２によって第一方向Ｘに閉塞されている第二流路Ｐ２である。そして、第一流路Ｐ１であるスリット３５と第二流路Ｐ２であるスリット３６とが、第三方向Ｚに平板３１を介して隣接している。従って、本実施形態では、平板３１が、第三方向Ｚに隣接する第一流路Ｐ１と第二流路Ｐ２との間に介在する「壁体」に相当する。
【００４１】
そして、断熱層５０ｂは、隣接する平板３１間と隣接するスペーサ３２間に形成されたスリットを、長手方向の両端部で封止材３７により封止することにより形成されている。なお、断熱層５０ｂにおけるスリットの長手方向は第一方向Ｘであっても第二方向Ｙであっても良いが、ここでは第一方向Ｘを長手方向とし両端部を封止されたスリットと、第二方向Ｙを長手方向とし両端部を封止されたスリットとの双方で、断熱層５０ｂが構成されている場合を例示している（図９（ｃ），（ｄ）参照）。
【００４２】
また、熱交換体４０ｂにおいて、第一方向Ｘに貫通するスリット３５の段、及び第二方向Ｙに貫通するスリット３６の段のうち、断熱層５０ｂと隣接しているのはスリット３５の段である。そして、熱交換体４０ｂにおいて第一方向Ｘと交差する両端面、すなわちスリット３５が開口している両端面の一方に第一流体供給管が接続され、他方に第一流体排出管が接続されると共に、第二方向Ｙと交差する端面、すなわちスリット３６が開口している両端面の一方に第二流体供給管が接続され、他方に第二流体排出管が接続される。低温側の流体が第一流体であり、高温側の流体が第二流体である点は、第一実施形態と同様である。
【００４３】
上記の構成により、第一流路Ｐ１であるスリット３５に第一流体を流通させ、第二流路Ｐ２であるスリット３６に第二流体を流通させることにより、第一流体と第二流体との間で平板３１を介して熱交換させることができる。
【００４４】
更に、熱交換体４０ｂにおいて、第三方向Ｚに交差する両端面という、いわば熱交換のためには従来使用されなかった端面に断熱層５０ｂが積層されていることにより、熱交換器１と同様に、高温の第二流体が保持している熱や、低温の第一流体が第二流体から与えられた熱が、熱交換器２の外部に放出されることが断熱層５０ｂによって抑制されるため、熱交換率を高めることができる。また、断熱層５０ｂの存在によって、熱交換体４０ｂ２の機械的強度が高められている点も、熱交換器１と同様である。
【００４５】
加えて、熱交換器１と同様に、熱交換体４０ｂにおいて断熱層５０ｂと接しているのは、熱を与えられる側の第一流体を流通させる第一流路Ｐ１であるスリット３５の段である。従って、与えられた熱がこれから使用される第一流体の熱を、断熱層５０ｂによって有効に保持することができる。
【００４６】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４７】
例えば、第一実施形態では、セル列１０とスペーサ２１とが積層されることにより、セル１５が第一流路Ｐ１となりスリット２５が第二流路Ｐ２となる場合を例示した。これに限定されず、複数のセル列を、隣接するセル列に属するセルの軸方向が直交するように積層することにより、第一流路及び第二流路の双方がセルである構成の熱交換器とすることができる。また、セルの形状として、軸方向に直交する断面の外形が正方形であるものを例示した。セルの形状は、軸方向に直交する方向に閉塞する隔壁を備えるものであれば特に限定されず、六角形、八角形、三角形等とすることができる。
【００４８】
更に、第二実施形態では、平板３１とスペーサ３２とが積層されることにより、貫通方向が直交するスリット３５，３６がそれぞれ第一流路Ｐ１及び第二流路Ｐ２となる場合を例示した。これに限定されず、長手方向を一致させ間隔をあけて並んだ複数のリブが平板と一体となった形状に相当する“くし歯状”の構造体を積層することにより、同様に、貫通方向が直交するスリットがそれぞれ第一流路及び第二流路となる熱交換器とすることができる。
【符号の説明】
【００４９】
１，１ｂ，２  熱交換器（セラミック熱交換器）
１１ａ  隔壁
１１ｂ  隔壁（壁体）
１５  セル
１７  封止材
３１  平板（壁体）
３２  スペーサ
３７  封止材
４０，４０ｂ  熱交換体
５０，５０ｂ  断熱層
Ｐ１  第一流路
Ｐ２  第二流路
Ｘ  第一方向
Ｙ  第二方向
Ｚ  第三方向
【図１】
2019109004.tif 000005
【図２】
2019109004.tif 000006
【図３】
2019109004.tif 000007
【図４】
2019109004.tif 000008
【図５】
2019109004.tif 000009
【図６】
2019109004.tif 000010
【図７】
2019109004.tif 000011
【図８】
2019109004.tif 000012
【図９】
2019109004.tif 000013